(57)【特許請求の範囲】
【請求項１】
水洗式トイレに於ける、底面及び周側面の少なくとも一定の高さに水密手段を施した耐震構造の配管ピット（Ｐ）を設け、この配管ピット（Ｐ）は非常時に排泄物貯留用の便槽となるもので、前記配管ピット（Ｐ）の上部に設けられる便器（２）の排便穴（２ａ）に汚物が流入しやすく連続した傾斜底面（２ｂ）を設け、排便穴（２ａ）に継接する接合離脱手段を介してトラップ（９）を設け、当該トラップ（９）と汚水メイン管（５）を繋ぐ接合離脱手段を有するパイプ（４）を設け、前記汚水メイン管（５）と前記パイプ（４）は、前記配管ピット（Ｐ）内にあり、前記便器（２）と前記トラップ（９）を切り離したときに前記便器（２）の下が開放となることを特徴とする非常時兼用トイレ構造。
【請求項２】
上記トラップ（９）と汚水メイン管（５）を繋ぐ接合離脱手段を有するパイプとしてフレキシブルパイプ（４）を設けたことを特徴とする請求項１記載の非常時兼用トイレ構造。
【請求項３】
前記耐震構造の配管ピット（Ｐ）内に耐震構造の仕切り板（１３）を設け、当該仕切り板（１３）で囲まれた室の底面及び周側面の少なくとも一定の高さに水密手段を施したことを特徴とする請求項１記載の非常時兼用トイレ構造。
【請求項４】
前記耐震構造の配管ピット（Ｐ）内に上面の一部または全部を開放している便槽用容器（１４）を設けたことを特徴とする請求項１記載の非常時兼用トイレ構造。
【請求項５】
前記耐震構造の配管ピット（Ｐ）内に上面の一部または全部を開放している便槽用シート状袋容器（１５）を設けたことを特徴とする請求項１記載の非常時兼用トイレ構造。
【発明の詳細な説明】
【０００１】
【産業上の利用分野】
本発明は、通常は水洗式トイレとして使用していながら、地震等の災害発生時などの非常時には、即時にして汲み取り式トイレとして使用できる非常時兼用トイレ構造に関するものである。
【０００２】
【従来の技術】
地震等の災害時に水道や下水等が使用不可能となることが多く、その場合の排泄物の処理をどうするかという大きな問題が発生する。
従来、組立式の簡易トイレで対応しているが、設置場所や設置数が限られ、しかも設置するまでの時間がかかるばかりでなく、排泄物の貯溜容量が限られているので、すぐに満杯となって多くの被災者に応えることができなかった。従って、災害等の非常時には、即時にして大量の排泄物を貯溜できるようにした非常時用トイレ構造が望まれていた。
【０００３】
そこで、本件に係る非常時に短時間で多数のトイレを簡単に設置することができ多数の人が使用しても長時間の使用が可能となるように大量の排泄物を貯溜できるようにした非常時用トイレ設置構造が特許公開番号平成８−３３８１４２で公開されている。しかしながら、この発明は非常時のみの為の専用の大掛かりな地下室を設ける必要があり、設置場所の問題や多大なコストがかかるという問題や地下室から取り出して組み立てるにも時間がかかるという欠点がある。
【０００４】
【発明が解決しようとする課題】
本発明は、上記の問題を解決すると共に、それに係る欠点をなくすためになされたものであり、その目的とするところは、既に一般に所在するところの点検用の配管ピットを有効に活用することであり、予め災害時を想定して施工しておき、通常は水洗式トイレとして使用しているものを、災害等の非常時には、即時にして汲み取り式トイレとして大量の排泄物を貯溜できるようにした非常時兼用トイレ構造を提供することである。
【０００５】
【課題を解決するための手段】
上記課題を解決するために、本発明の非常時兼用トイレ構造は、水洗式トイレに於ける、底面及び周側面の少なくとも一定の高さに水密手段を施した耐震構造の配管ピットを設け、この配管ピットは非常時に排泄物貯留用の便槽となるもので、前記配管ピットの上部に設けられる便器の排便穴に汚物が流入しやすく連続した傾斜底面を設け、排便穴に継接する接合離脱手段を介してトラップを設け、当該トラップと汚水メイン管を繋ぐ接合離脱手段を有するパイプを設け、前記汚水メイン管と前記パイプは、前記配管ピット内にあり、前記便器と前記トラップを切り離したときに前記便器の下が開放となるようにすることである。
【０００６】
そして、上記トラップと汚水メイン管を繋ぐ接合離脱手段を有するパイプとしてフレキシブルパイプを設けることが好ましい。
フレキシブルパイプを利用することによって、便器とトラップを切り離したときにトラップの自重にてトラップのフランジ部が自然に下向きになり、便器の下が開放状態にすることができ、しかも施工が容易になるという利点がある。
【０００７】
また、上記水洗トイレに於ける耐震構造の配管ピット内に耐震構造の仕切り板を設け、当該仕切り板で囲まれた室の底面及び周側面の少なくとも一定の高さに水密手段を施すことである。このようにすることによって排泄物貯溜用の便槽の容量を適宜に減少することができ、便槽使用後の復元清掃作業を容易にすることができるという利点がある。
【０００８】
また、前記水洗トイレに於ける耐震構造の配管ピット内に上面の一部または全部を開放している便槽用容器を設けることである。
このようにすることによって配管ピット内を水蜜にする必要がなく、しかも前記便槽用容器の形状や容量を任意に設計することができ、変則的な形状のピットへの対応も可能となり、更に便槽使用後の復元清掃作業をも容易にすることができるという利点がある。
【０００９】
更に、前記耐震構造の配管ピット内に上面の一部または全部を開放している便槽用シート状袋容器を設けることである。
このようにすることによって配管ピット内を水蜜にする必要がなく、しかも前記便槽用容器に較べ安価にて設置することができ、そして小分けにすることができ、また便槽使用後の復元作業をも容易にすることができるという利点がある。
【００１０】
【発明の実施の形態】
以下、添付図面により本発明の実施の形態を詳細に説明する。図１は本発明の水洗トイレとして通常使用中の平面図である。図２は本発明の床下部を分かり易く、床板を省略して壁の一部を切り欠いた概略斜視説明図である。図１および図２で示すように１はトイレ室および配管ピットＰを構成するコンクリートの壁板で、２は陶器製の和式便器で、当該和式便器２は取付け枠３と一緒に取付けられている。そして和式便器２の排便穴２ａに継接するフランジ２ｃを介してトラップ９を設け、当該トラップ９と汚水メイン管５に連通する配管６をフレキシブルパイプ４にて接続する。同様に洋式腰掛便器７も下側にトラップ９を設けて、汚水メイン管５に連通する配管６とフレキシブルパイプ４にて接続されている。そして汚水メイン管５および配管６は便器２とトラップ９を切り離したときに便器２の下が開放となるような離れた位置に配置して支持架台５ａにて支持され、汚水は下水桝を経て下水道に流され処理される。前記の壁板１は耐震性の高い強度を有すると共に、底面及び周側面の少なくとも一定の高さに水密手段を施しておく。この水密手段としてはコンクリートの水密仕上げでも良いが、表面に塗料または樹脂をコーティングしておけば復元作業の清掃が容易となり好ましい。更に、床面には床下点検用マンホール１１を設け、点検出入り作業を容易にするため床下点検用マンホール１１には昇降用足場１２を設けておく。そして、配管ピットＰ内には前記各便器２，７とトラップ９のフランジを切り離すとき必要な工具を入れた工具箱１０を常時備えておく。
【００１１】
図３（ａ）は本発明における和式便器の取付け断面図で図３（ｂ）は図３（ａ）の左側面断面図である。
図示のように壁板１と同様なコンクリートスラブ１ａの便器用開口部に取付け枠３をレベル調整ボルト３ａによって水平に取付け、その取付け枠３に排便穴２ａに汚物が流入しやすく連続した傾斜底面２ｂを設けた和風便器２をはめ込むようにして水平に設置し、取付け枠３とともに周囲をシンダーコンクリート１ｂによって固着し、更にその上面を床面材１ｃでカバーする。一方配管ピットＰ内において便器２の排便穴２ａに継接するフランジ２ｃ、トラップフランジ９ａを接合してトラップ９を取付け、当該トラップ９の他の端と汚水メイン管５に連接する配管６をフレキシブルパイプ４で繋ぎ両端をそれぞれクランプバンド４ａにて締め付けシール結合させる。
このように予め施工しておけば従来の水洗和式トイレと全く変わることなく使用することができる。そして災害等の非常時には便器２とトラップ９をフランジから切り離すことによって即時にして汲み取り式和風トイレに改造することができる。
なお、トラップ９には便器から落下した異物や詰まった物を取り除くことができるようにトラップ点検口９ｂを設けておくと便利である。
【００１２】
図４（ａ）は本発明の洋式腰掛便器の取付け断面図で、図４（ｂ）は図４（ａ）の左側面断面図である。
図示のように洋式腰掛便器の場合には取付け枠３の代わりに接続パイプ３ｚを床下に埋め込んでおき、その上から洋式腰掛便器７の排便穴部を押し込むようにして取付け、周囲をパッキンでシールする。その他は和式便器の場合と同様である。
【００１３】
以下に本発明を使用するときの方法を説明する。
図５（ａ）は本発明の洋式腰掛便器のフランジを切り離し、トラップとフレキシブルパイプを取り外した状態のトイレの断面図で、図５（ｂ）は本発明の洋式腰掛便器のフランジを切り離しただけの状態のトイレの断面図である。また図６は図５から非常用汲み取り式洋式トイレとして使用状態を示す断面図である。
災害発生の非常時には、先ず床下点検用マンホール１１を開けて、床下の配管ピットＰの中に保管しておいた工具箱１０からスパナ等を取出し、フランジのボルトとナットと共に配管６側のクランプバンド４ａを弛めて図５（ａ）で示すようにトラップ９とフレキシブルパイプ４を取り外す。また時間がない緊急時の場合には図５（ｂ）で示すようにフランジのボルトとナットを取り外して、静かにトラップ９を下にたらしておくだけでもよい。
こうすることによって図６で示すように便器の下が開放状態になって汲み取り式トイレとして利用し、長時間にわたって沢山の糞便Ｈを貯溜することができる。
前記のようにトラップ９とフレキシブルパイプ４を取り外した状態にしておけばこれらが汚物で汚れることがなく復元作業が容易になることは言うまでもない。
また、貯溜した糞便Ｈは床下点検用マンホール１１から汲み出すか、または便器の排便口からバキュームカーによって吸引して抜きとることも可能である。
【００１４】
図７は他の実施の形態を示す床下部の斜視図であって、図示のように配管ピットＰ内に壁板１と同様な耐震構造の剛性が有るコンクリートの仕切り板１３を設けることによって便槽の容量を任意に狭めて設定することができ、これにより災害復旧がなされた後、汲み取り式トイレとしての使命を終えて復元のための清掃、消毒等の作業が容易となる。特に高速道路のサービスエリヤや市民会館等のトイレにおける巨大な配管ピットを利用する場合には有効である。
【００１５】
図８は更に他の実施の形態を示す床下部の斜視図であって、図示のように配管ピットＰ内の便器の下、糞尿の落下する位置に上部を開放した剛性を有するプラスチック等の便槽用容器１４を設けることによって便槽の形状や容量を任意に設計することができ、これにより配管ピットＰの水密性も不要となり、しかも便槽使用後の復元清掃作業をも容易にすることができ、且つ大変衛生的になる。
【００１６】
図９（ａ）は本発明の便槽用シート状袋容器を設けた形態を示す床下部の断面図で、図９（ｂ）は配管ピット内における便槽用シート状袋容器の取付け状態を示す斜視図である。
図示のように配管ピット内の便器の下側所定の位置に袋を広げるようにして便槽用シート状袋容器１５を設置し、壁板１の側面に埋設したステーフック１６にパイプフレーム１７を固定して、当該パイプフレーム１７に便槽用シート状袋容器１５の開口部全周囲を紐またはワイヤーで巻き付けて保持する。
なお、この場合、便槽用シート状袋容器１５の底部が配管ピットの底面に当接していなければならない。
【発明の効果】
以上に述べたように、本発明によれば、災害発生等の非常時には通常使用している水洗トイレが即時にして汲み取り式トイレとして使用することができ、配管ピットをそのまま便槽として利用するので、大したコストもかからず、しかも大量の排泄物を貯溜することができると共にトイレットペーパー等の備品もそのまま使用できるので便利であり、大勢の人が長時間使用することができるという優れた効果がある。
【図面の簡単な説明】
【図１】本発明の水洗トイレとして通常使用中の平面図である。
【図２】本発明の床板を省略して壁の一部を切り欠いた概略斜視説明図である。
【図３（ａ）】本発明の和式便器の取付け断面図である。
【図３（ｂ）】図３（ａ）の左側面断面図である。
【図４（ａ）】本発明の洋式腰掛便器のと取付け断面図である。
【図４（ｂ）】図４（ａ）の左側面断面図である。
【図５（ａ）】本発明の洋式腰掛便器のフランジを切り離し、トラップとフレキシブルパイプを取り外した状態のトイレの断面図である。
【図５（ｂ）】本発明の洋式腰掛便器のフランジを切り離した状態のトイレの断面図である。
【図６】本発明の非常用汲み取り式洋式トイレとして使用状態を示す断面図である。
【図７】本発明の配管ピット内に仕切り板を設けた形態を示す床下部の斜視図である。
【図８】本発明の便槽用容器を設けた形態を示す床下部の斜視図である。
【図９（ａ）】本発明の便槽用シート状袋容器を設けた形態を示す床下部の断面図である。
【図９（ｂ）】本発明の便槽用シート状袋容器の取付け状態を示す斜視図である。
【符号の説明】
１  壁板
１ａコンクリートスラブ
１ｂ  シンダーコンクリート
１ｃ  床面材
２    和式便器
２ａ  排便穴
２ｂ  傾斜底面
２ｃ  フランジ
３  取付け枠
３ａ  レベル調整ボルト
３ｚ  接続パイプ
４  フレキシブルパイプ
４ａ  クランプバンド
５  汚水メイン管
５ａ  支持架台
６  配管
７  洋式腰掛便器
７ａ  便器フランジ
８  ロータンク
９  トラップ
９ａ  トラップフランジ
９ｂ  トラップ点検口
１０  工具箱
１１  床下点検用マンホール
１２  昇降用足場
１３  仕切り板
１４  便槽用容器
１５  便槽用シート状袋容器
１６  ステーフック
１７  パイプフレーム
Ｄ  出入り口
Ｐ  配管ピット
Ｈ  糞便
【図１】
0003927649.tif 000002
【図２】
0003927649.tif 000003
【図３（ａ）】
0003927649.tif 000004
【図３（ｂ）】
0003927649.tif 000005
【図４（ａ）】
0003927649.tif 000006
【図４（ｂ）】
0003927649.tif 000007
【図５（ａ）】
0003927649.tif 000008
【図５（ｂ）】
0003927649.tif 000009
【図６】
0003927649.tif 000010
【図７】
0003927649.tif 000011
【図８】
0003927649.tif 000012
【図９（ａ）】
0003927649.tif 000013
【図９（ｂ）】
0003927649.tif 000014